(57)【要約】【課題】ライン型搬送手段を導入する必要がなく、既存の選果場や小型の選果場などであっても、光学式等の内部品質センサを用いて青果物の自動選別を行うことを可能とする青果物の多条搬送装置及びこれを用いた内部品質検査装置並びに不良選別装置を提供する。【解決手段】青果物の大きさに応じて適宜設定された幅を有する複数の搬送路と、青果物を搬送手段から複数の搬送路のいずれかに分岐させるための分岐ガイドとを備え、搬送手段により不規則に搬送される青果物を１列ずつに整列させて搬送する。【選択図】図１
2015182882.tif 000002
【特許請求の範囲】
【請求項１】
搬送手段により不規則に搬送される青果物を１列ずつに整列させて搬送する多条搬送装置であって、
前記青果物の大きさに応じて適宜設定された幅を有する複数の搬送路と、
前記青果物を前記搬送手段から前記複数の搬送路のいずれかに分岐させるための分岐ガイドと、
を備えることを特徴とする多条搬送装置。
【請求項２】
前記複数の搬送路の下流側に、１条の正常品搬送手段を備え、
前記複数の搬送路により搬送されてきた前記青果物を前記正常品搬送手段によって、まとめて搬送するように構成されていることを特徴とする請求項１に記載の多条搬送装置。
【請求項３】
前記複数の搬送路にそれぞれ、前記青果物を１つずつ分離する羽を有する分離ローラーを備えていることを特徴とする請求項１または２に記載の多条搬送装置。
【請求項４】
前記青果物の内部品質を評価するための内部品質検査装置であって、
請求項１から３のいずれかに記載の多条搬送装置と、
前記搬送路によって搬送される前記青果物の内部品質を、前記搬送路毎に測定するための内部品質センサと、
を備えることを特徴とする内部品質検査装置。
【請求項５】
前記内部品質センサが、
前記多条搬送装置を挟んで一方に設けられた投光手段及び
他方に設けられた受光手段と、
前記投光手段及び前記受光手段と接続された制御手段と、
を備え、
前記投光手段から前記青果物へ測定光を照射するとともに、前記青果物を透過した透過光を前記受光手段により受光し、
前記受光手段によって受光した前記透過光を、前記制御手段に透過光信号として送信し、
前記制御手段が、前記透過光信号に基づき前記青果物の内部品質を評価するように構成されていることを特徴とする請求項４に記載の内部品質検査装置。
【請求項６】
前記測定光が、近赤外光であることを特徴とする請求項５に記載の内部品質検査装置。
【請求項７】
前記青果物の不良選別を行う不良選別装置であって、
請求項４から６のいずれかに記載の内部品質検査装置と、
前記多条搬送装置の下流側に設けられた不良排果装置と、
を備え、
前記内部品質検査装置によって不良と判定された青果物を、前記不良排果装置により排除するように構成されていることを特徴とする不良選別装置。
【発明の詳細な説明】
【技術分野】
【０００１】
本発明は、コンベア搬送される青果物を多条ラインに分岐して搬送する多条搬送装置及びこの多条搬送装置により搬送される青果物の内部品質を検査するための内部品質検査装置並びに内部品質検査装置により内部不良と判断された青果物を排除する不良選別装置に関する。
【背景技術】
【０００２】
従来、青果物の仕分け、梱包などを行う選果場において、青果物は品質規格に基づく「優」、「秀」などの等級仕分けや、等級ごとの大きさに基づく「Ｌ」、「Ｍ」などの階級仕分けにより選別されている。
【０００３】
このような等級仕分けは、検査者の目視と手による触感による手選別か、特許文献１などに開示されるように、光学式等の内部品質センサを有する内部品質検査装置を用いた自動選別により行われている。
【０００４】
図４は、透過光を測定する方法による内部品質検査装置１００の構成を説明するための平面図である。
図４に示すように、搬送ライン１１０上の青果物１０２に対して、青果物１０２の一方の側方に設けられた投光手段１０４から測定用光１１２が照射される。
そして、青果物１０２の内部を散乱して他方の側方へ透過する透過光１１４が、青果物１０２を挟んで、投光手段１０４とは反対側に設置された受光手段１０６によって受光される。
【０００５】
受光手段１０６によって受光した透過光１１４は、透過光信号として、解析装置１０８に送信され、解析装置１０８では、受信した透過光信号に基づいて、以下のように青果物１０２の内部品質を評価している。
【０００６】
青果物１０２の内部品質として内部傷害の有無を測定する場合、例えば多数のサンプルに対して透過光測定と肉眼観察とを行うことにより、内部傷害の度合いを示すパラメータを透過光信号の大きさに対応して解析装置１０８に予め登録しておき、測定対象の青果物１０２からの透過光１１４を測定して得られた透過光信号と、上記のパラメータとを解析装置１０８によって比較することによって青果物１０２の内部品質を評価している。
【０００７】
また、青果物１０２の糖度、酸度、熟度などを測定する場合には、青果物１０２の種類に応じて設定された光波長範囲の吸光度を測定して、予め解析装置１０８に登録されたデータと吸光度とを比較することによって青果物１０２の内部品質を評価している。
【０００８】
なお、図３においては、投光手段１０４、受光手段１０６、解析装置１０８によって、内部品質センサ１２０が構成されている。
【先行技術文献】
【特許文献】
【０００９】
【特許文献１】特開２００５−９９３２号公報
【発明の概要】
【発明が解決しようとする課題】
【００１０】
しかしながら、手選別による等級仕分けは、コンベアなどの搬送手段により大量に搬送される青果物を複数の検査者により行われるが、全ての青果物の検査を行うことは困難であり、また、検査が行われていない青果物を判別することも出来ない。
【００１１】
また、手選別では、青果物の中心部における腐れや褐変などの検出は不可能であり、不良品である青果物を見逃して市場に流出させてしまい、出荷価格を下げられてしまうことがある。
【００１２】
一方で、自動選別では、内部品質センサにより青果物を１つずつ検査する必要があるため、青果物を不規則に搬送する搬送手段には用いることが困難であり、青果物を１つずつ搬送するライン型搬送手段が必要となる。このため、自動選別を行うためには、既存の搬送手段を変更する必要が生じるが、ライン型搬送手段は通常の搬送手段と比べて搬送可能な量が減ってしまう。
【００１３】
このため、通常の搬送手段と同等の搬送量を確保しようとすると、広いスペースが必要となり、建屋も含めて巨額な導入コストを要することになる。
したがって、新規に建設する大型の選果場であればまだしも、既存の選果場や小型の選果場などにはライン型搬送手段を用いた内部品質検査装置や不良選別装置を導入することは容易ではない。
【００１４】
本発明では、このような現状に鑑み、ライン型搬送手段を導入する必要がなく、既存の選果場や小型の選果場などであっても、光学式等の内部品質センサを用いて青果物の自動選別を行うことを可能とする青果物の多条搬送装置及びこれを用いた内部品質検査装置並びに不良選別装置を提供することを目的とする。
【課題を解決するための手段】
【００１５】
本発明は、前述するような従来技術における課題を解決するために発明されたものであって、本発明の多条搬送装置は、搬送手段により不規則に搬送される青果物を１列ずつに整列させて搬送する多条搬送装置であって、
前記青果物の大きさに応じて適宜設定された幅を有する複数の搬送路と、
前記青果物を前記搬送手段から前記複数の搬送路のいずれかに分岐させるための分岐ガイドと、
を備えることを特徴とする。
【００１６】
このように構成された多条搬送装置を、既存の搬送経路上に設置するだけで、搬送経路を不規則に搬送される青果物を１列ずつに整列させて搬送させることができる。このため、光学式等の内部品質センサを用いて青果物の自動選別を行うことが可能となる。
【００１７】
このような多条搬送装置では、前記複数の搬送路の下流側に、１条の正常品搬送手段を備え、
前記複数の搬送路により搬送されてきた前記青果物を前記正常品搬送手段によって、まとめて搬送するように構成することが好ましい。
【００１８】
このように構成することによって、例えば、複数の搬送路において青果物の内部品質検査を行った後は、正常品搬送手段によってまとめて搬送することができるため、ライン型搬送手段よりも搬送量を増やすことができる。
【００１９】
このような多条搬送装置では、前記複数の搬送路にそれぞれ、前記青果物を１つずつ分離する羽を有する分離ローラーを備えていることが好ましい。
このように分離ローラーを備えることにより、搬送路内に複数の青果物が接触した状態で進入することを防止でき、光学式等の内部品質センサによって正確に内部品質を評価することができる。
【００２０】
また、本発明の内部品質検査装置は、前記青果物の内部品質を評価するための内部品質検査装置であって、
上述するいずれかの多条搬送装置と、
前記搬送路によって搬送される前記青果物の内部品質を、前記搬送路毎に測定するための内部品質センサと、
を備えることを特徴とする。
【００２１】
このように、多条搬送装置の搬送路毎に、内部品質センサによって内部品質を評価することにより、青果物を並行して検査することができ、多量の青果物を迅速に測定することが可能となる。
【００２２】
このような内部品質検査装置では、前記内部品質センサが、
前記多条搬送装置を挟んで一方に設けられた投光手段及び他方に設けられた受光手段と、
前記投光手段及び前記受光手段と接続された制御手段と、
を備え、
前記投光手段から前記青果物へ測定光を照射するとともに、前記青果物を透過した透過光を前記受光手段により受光し、
前記受光手段によって受光した前記透過光を、前記制御手段に透過光信号として送信し、
前記制御手段が、前記透過光信号に基づき前記青果物の内部品質を評価するように構成することができる。
【００２３】
この場合、前記測定光が、近赤外光であることが好ましい。
このように、透過光を用いて青果物の内部品質を評価することによって、青果物の糖度、酸度、熟度、内部傷害の有無などを迅速かつ正確に検査することができる。
【００２４】
また、本発明の不良選別装置は、前記青果物の不良選別を行う不良選別装置であって、
上述するいずれかに記載の内部品質検査装置と、
前記多条搬送装置の下流側に設けられた不良排果装置と、
を備え、
前記内部品質検査装置によって不良と判定された青果物を、前記不良排果装置により排除するように構成されていることを特徴とする。
【００２５】
このような不良選別装置を用いることにより、既存の選果場や小型の選果場などであっても、低コストで光学式等の内部品質センサを用いて青果物の自動選別を行うことが可能となる。
【発明の効果】
【００２６】
本発明では、搬送手段により不規則に搬送される青果物を１列ずつに整列させて搬送する多条搬送装置により、光学式等の内部品質センサを用いた自動選別を行えるようになるため、既存の選果場や小型の選果場などであっても、低コストで青果物の自動選別を行うことが可能となる。
【図面の簡単な説明】
【００２７】
【図１】図１は、本実施例における不良選別装置の概略を説明するための平面図である。
【図２】図２は、図１の不良選別装置の側面図である。
【図３】図３は、不良選別装置の別の実施例を説明するための平面図である。
【図４】図４は、透過光を測定する方法による内部品質検査装置の構成を説明するための平面図である。
【発明を実施するための形態】
【００２８】
以下、本発明の実施の形態（実施例）を図面に基づいてより詳細に説明する。
図１は、本実施例における不良選別装置の概略を説明するための平面図、図２は、図１の不良選別装置の側面図である。
【００２９】
図１，２に示すように、本実施例の不良選別装置１０は、青果物３０を搬送する搬送手段２０と、搬送手段２０の下流側に設けられた青果物を１列ずつに整列させて搬送する多条搬送装置１２と、多条搬送装置１２の上方に設けられた投光手段２２と、多条搬送装置１２の下方に設けられた受光手段２４と、多条搬送装置１２により搬送された青果物３０のうち後述するように不良と判定された青果物３０を排除する不良排果装置２６とを備えている。
【００３０】
また、投光手段２２と、受光手段２４と、不良排果装置２６は、制御装置２８と接続されており、制御装置２８によって、投光手段２２、受光手段２４、不良排果装置２６の制御を行うように構成されている。
【００３１】
なお、制御装置２８は、上述する解析装置の役割を担い、受光手段２４によって受光した透過光を透過光信号として受信し、上述するように、青果物３０の内部品質を評価するように構成されている。
【００３２】
また、本実施例においては、投光手段２２と、受光手段２４と、制御装置２８によって内部品質センサ１５が構成されており、多条搬送装置１２と内部品質センサ１５によって内部品質検査装置１４が構成されている。
【００３３】
なお、内部品質センサ１５としては、非接触で青果物３０の糖度、酸度、熟度、内部傷害の有無などを検査できるものであれば、特に限定されるものではないが、本実施例においては、透過光を用いた内部品質センサを用いている。このように、透過光を用いる場合には、投光手段２２として、近赤外光を照射することが可能な光源を用いることが好ましい。
【００３４】
また、内部品質センサ１５としては、透過光を用いる内部品質センサ以外にも、例えば、反射光、静電容量、超音波などを用いた既存の内部品質センサを用いることも可能である。
【００３５】
なお、搬送手段２０としては、青果物３０を同時に多量に搬送することができるローラーコンベアやベルトコンベアなどの既存のコンベアを用いることができる。
【００３６】
また、多条搬送装置１２は、搬送手段２０によって搬送されてきた青果物を１列ずつに整列させて搬送するため、青果物３０の大きさに応じて適宜設定された幅を有する搬送路１３を複数備えており、それぞれの搬送路１３には、搬送される青果物３０の内部品質を検査するための投光手段２２及び受光手段２４が設けられている。
【００３７】
また、搬送手段２０と多条搬送装置１２との接続箇所には、搬送手段２０によって搬送される青果物３０をそれぞれの搬送路１３に分岐させるための分岐ガイド３２が設けられている。
【００３８】
また、それぞれの搬送路１３の入口には、搬送路１３に１つずつ青果物３０を搬送するために、青果物３０を１つずつ分離する羽３４ａを有する分離ローラー３４が設けられている。
なお、分離ローラー３４の羽３４ａは、青果物３０を傷つけないようにするため、例えば、ゴムなどの柔軟性を有する素材により形成されることが好ましい。
【００３９】
また、不良排果装置２６の下方には、不良と判定され排除された青果物３０を不良用排出ラインに搬送する、例えば、ローラーコンベアやベルトコンベアなどの排果搬送手段３６が設けられている。
【００４０】
このように構成された本実施例の不良選別装置１０では、搬送手段２０によって搬送されてきた青果物３０が、多条搬送装置１２のそれぞれの搬送路１３に１つずつ分岐されることで、それぞれの搬送路１３に青果物３０が１列で搬送されることになる。
【００４１】
そして、搬送路１３に１列で搬送される青果物３０に対して、搬送路１３毎に投光手段２２から測定光２３を照射するとともに、青果物３０を透過した透過光２５を受光手段２４によって受光する。
【００４２】
このように受光手段２４によって受光した透過光２５は、制御装置２８に透過光信号として送信され、制御装置２８において、上述するように青果物３０の内部品質が評価される。
【００４３】
内部品質検査装置１４によって、不良と判定された場合には、制御装置２８によって、該当する青果物３０が搬送されている搬送路１３の出口に設けられた不良排果装置２６の排果ソレノイド２７を作動させ、不良と判定された不良青果物３１を排果搬送手段３６へ排除する。
【００４４】
一方で、青果物３０が正常と判定された場合には、不良排果装置２６の排果ソレノイド２７を作動させず、正常な青果物３０は、多条搬送装置１２から正常品搬送手段３８に送られ、例えば、階級選別工程などに搬送されることになる。
【００４５】
このように構成された不良選別装置１０であれば、既存の搬送手段２０と正常品搬送手段３８との間に設置するだけで、多条搬送装置１２を備えた内部品質検査装置１４を用いて、青果物３０を自動選別することができ、既存の選果場や小型の選果場などにも低コストで導入することができる。
【００４６】
なお、既存の搬送経路上だけではなく、新規に設置する搬送経路上に本実施例の多条搬送装置１２及び多条搬送装置１２を備えた内部品質検査装置１４並びに不良選別装置１０を設けてもよいことは言うまでもない。
【００４７】
また、本実施例においては、投光手段２２を搬送路１３の上方側に、受光手段２４を多条搬送装置１２の下方側に配置しているが、搬送路１３を挟んで投光手段２２と受光手段２４を配置し、投光手段２２から照射され、青果物３０を透過した測定光２３を受光手段２４によって受光するように構成されていれば構わない。
【００４８】
図３は、不良選別装置１０の別の実施例を説明するための平面図である。このように、多条搬送装置１２のそれぞれの搬送路１３を挟んで、搬送路１３の側方に投光手段２２及び受光手段２４を配置することもできる。なお、図３に示す実施例では、投光手段２２及び受光手段２４と接続される制御装置２８を省略している。
【００４９】
また、投光手段２２と受光手段２４の光軸が直線となる必要はなく、受光手段２４が測定光２３を受光可能であれば光軸がずれていても構わない。また、図３に示す実施例では、１つの投光手段２２と１つの受光手段２４の組み合わせによって、青果物３０の内部品質を検査しているが、例えば、複数の投光手段２２から測定光２３を照射するような構成とすることもできる。
【００５０】
以上、本発明の好ましい実施例を説明したが、本発明はこれに限定されることはなく、上記実施例では、投光手段２２、受光手段２４、不良排果装置２６を１つの制御装置２８によって制御しているが、それぞれ別の制御装置によって制御するように構成してもよいなど、本発明の目的を逸脱しない範囲で種々の変更が可能である。
【符号の説明】
【００５１】
１０      不良選別装置
１２      多条搬送装置
１３      搬送路
１４      内部品質検査装置
１５      内部品質センサ
２０      搬送手段
２２      投光手段
２３      測定光
２４      受光手段
２５      透過光
２６      不良排果装置
２７      排果ソレノイド
２８      制御装置
３０      青果物
３１      不良青果物
３２      分岐ガイド
３４      分離ローラー
３４ａ    羽
３６      排果搬送手段
３８      正常品搬送手段
１００    内部品質検査装置
１０２    青果物
１０４    投光手段
１０６    受光手段
１０８    解析装置
１１０    搬送ライン
１１２    測定用光
１１４    透過光
１２０    内部品質センサ
【図１】
2015182882.tif 000003
【図２】
2015182882.tif 000004
【図３】
2015182882.tif 000005
【図４】
2015182882.tif 000006